【手続補正書】
【提出日】平成17年2月18日(2005.2.18)
【手続補正１】
【補正対象書類名】明細書
【補正対象項目名】特許請求の範囲
【補正方法】変更
【補正の内容】
【特許請求の範囲】
【請求項１】
スイッチング素子を夫々備えた複数の画素が第１の方向沿いに複数の画素行を該第１の方向に交差する第２の方向沿いに複数の画素列を夫々なして配置された画素アレイ、
前記画素アレイの前記第１の方向沿いに延び且つ前記第２の方向沿いに並設され、前記画素行の夫々に前記スイッチング素子の該画素行に備えられた群を制御する第１信号を伝送する複数の第１信号線、
前記画素アレイの前記第２の方向沿いに延び且つ前記第１の方向沿いに並設され、前記画素列の夫々に備えられた前記スイッチング素子の前記第１信号を受けた少なくとも一つに第２信号を供給して各画素列の該少なくとも一つのスイッチング素子を有する画素の表示状態を決める複数の第２信号線、
前記第１信号線の夫々に前記第１信号を出力する第１駆動回路、
前記第２信号線の夫々に前記第２信号を出力する第２駆動回路、及び
フレーム期間毎の映像情報を受けて、前記第１駆動回路の前記第１信号出力のタイミングを決めるタイミング信号と前記第２駆動回路の前記第２信号生成に用いられる映像データとを生成し、前記タイミング信号を前記第１駆動回路に前記映像データを前記第２表示回路に夫々転送する表示制御回路を備え、
前記タイミング信号は、前記フレーム期間毎に前記第１信号の一つを前記複数の第１信号線の隣接し合う複数本に出力させる第１タイミングと前記第１信号の他の一つを該複数本の第１信号線に出力させる第２タイミングとを含み、
前記第２駆動回路は前記第２信号を前記第１タイミングにて前記映像データに拠り、前記第２タイミングにて前記映像データより前記画素の夫々を暗く表示させる電圧値を割り当てて夫々生成し、前記画素の前記複数本の第１信号線で制御される一群に供給する表示装置。
【請求項２】
スイッチング素子を夫々備えた複数の画素が第１の方向沿い複数の画素行を該第１の方向に交差する第２の方向沿いに複数の画素列を夫々なして配置された画素アレイ、
前記画素アレイの前記第１の方向沿いに延び且つ前記第２の方向沿いに並設され、前記画素行の夫々に前記スイッチング素子の該画素行に備えられた群を制御する第１信号を伝送する複数の第１信号線、
前記画素アレイの前記第２の方向沿いに延び且つ前記第１の方向沿いに並設され、前記画素列の夫々に備えられた前記スイッチング素子の前記第１信号を受けた少なくとも一つに第２信号を供給して各画素列の該少なくとも一つのスイッチング素子を有する画素の表示状態を決める複数の第２信号線、
前記第１信号線の夫々に前記第１信号を出力する第１駆動回路、
前記第２信号線の夫々に前記第２信号を出力する第２駆動回路、及び
フレーム期間毎の映像情報を受けて、前記第１駆動回路の前記第１信号出力のタイミングを決めるタイミング信号と前記第２駆動回路の前記第２信号生成に用いられる映像データとを生成し、前記タイミング信号を前記第１駆動回路に前記映像データを前記第２表示回路に夫々転送する表示制御回路を備え、
前記タイミング信号は、前記フレーム期間内に前記複数の第１信号線の前記第２方向沿いに続いて並ぶ少なくとも一群の複数本毎に前記第１信号を該第２方向に順次出力させる走査期間を少なくとも２つ含み、
前記第２駆動回路は、前記フレーム期間の始めに行われる前記走査期間の少なくとも一つにて前記第２信号を前記映像データに拠り生成し、且つ該フレーム期間の終わりに行われる該走査期間の少なくとも他の一つにて前記第２信号を前記少なくとも一群の第１信号線で制御される前記画素行の夫々を該フレーム期間の始めにおける走査期間よりも暗く表示させる電圧信号として生成し、夫々前記第２信号線に出力する表示装置。
【請求項３】
スイッチング素子を夫々備えた複数の画素が第１の方向沿い複数の画素行を該第１の方向に交差する第２の方向沿いに複数の画素列を夫々なして配置された画素アレイ、
前記画素アレイの前記第１の方向沿いに延び且つ前記第２の方向沿いに並設され、前記画素行の夫々に前記スイッチング素子の該画素行に備えられた群を制御する第１信号を伝送する複数の第１信号線、
前記画素アレイの前記第２の方向沿いに延び且つ前記第１の方向沿いに並設され、前記画素列の夫々に備えられた前記スイッチング素子の前記第１信号を受けた少なくとも一つに第２信号を供給して各画素列の該少なくとも一つのスイッチング素子を有する画素の表示状態を決める複数の第２信号線、
前記第１信号線の夫々に前記第１信号を出力する第１駆動回路、
前記第２信号線の夫々に前記第２信号を出力する第２駆動回路、及び
フレーム期間毎の映像情報を受けて、前記第１駆動回路の前記第１信号出力のタイミングを決めるタイミング信号と前記第２駆動回路の前記第２信号生成に用いられる映像データとを生成し、前記タイミング信号を前記第１駆動回路に前記映像データを前記第２表示回路に夫々転送する表示制御回路を備え、
前記タイミング信号は、前記フレーム期間内に前記複数の第１信号線に前記第１信号を逐一出力する走査期間を少なくとも２つ含み、
前記複数の第１信号線の前記第２方向沿いに一つおきに並ぶ第１群への前記第１信号の出力期間は互いに重複しないように、且つ該複数の第１信号線の該第１群と交互に並ぶ第２群の各々への前記第１信号の出力期間はこれに隣接する該第１群の一対へのそれらと重複して夫々設定され、
前記第２駆動回路は、前記フレーム期間の始めに行われる前記走査期間の少なくとも一つにて前記第２信号を前記映像データに拠り生成し、且つ該フレーム期間の終わりに行われる該走査期間の少なくとも他の一つにて前記第２信号を前記少なくとも一群の第１信号線で制御される前記画素行の夫々を該フレーム期間の始めにおける走査期間よりも暗く表示させる電圧信号として生成し、少なくとも前記映像データに拠り生成された第２信号を前記複数の第１信号線の前記第１群への前記第１信号の出力期間に合わせて前記第２信号線に出力する表示装置。
【請求項４】
前記表示制御回路が受けるフレーム期間毎に映像情報は、インターレース方式で伝送されるフィールド期間毎の映像である請求項１乃至３のいずれかに記載の表示装置。
【請求項５】
前記表示制御回路が受けるフレーム期間毎に映像情報は、プログレッシブ方式で伝送されるフレーム期間毎の映像である請求項１乃至３のいずれかに記載の表示装置。
【請求項６】
前記表示制御回路は、前記プログレッシブ方式で伝送される映像の垂直方向に交互に並ぶ水平方向データの２群の一方をそのフレーム期間毎に交互に抽出して該フレーム期間毎に前記映像データを生成する請求項５に記載の表示装置。
【請求項７】
前記表示制御回路は前記映像情報の垂直方向に含まれる複数のデータ行を部分的に抽出して前記映像データを生成する請求項１乃至３のいずれかに記載の表示装置。
【請求項８】
前記表示制御回路は前記映像情報の水平方向に含まれる複数の垂直方向データ行を部分的に抽出して前記映像データを生成する請求項１乃至３のいずれかに記載の表示装置。
【請求項９】
前記表示装置は、液晶表示パネルからなる画素アレイと該液晶表示パネルに光を照射する光源装置とを備え、前記光源装置は前記フレーム期間毎に点灯及び消灯を繰り返す請求項１乃至３のいずれかに記載の表示装置。
【請求項１０】
前記フレーム期間内において、前記映像データに拠り生成された前記第２信号が前記第２信号線に出力される前記走査期間は少なくとも２回行われ、該走査期間の該フレーム期間の始めに行われる一つで出力される該第２信号の電圧値は、該一つの走査期間に続く該走査期間の他で出力されるそれより高く設定されている請求項２又は請求項３に記載の表示装置。
【請求項１１】
前記フレーム期間内において、前記映像データに拠り生成された前記第２信号が前記第２信号線に出力される前記走査期間は２回行われ、該走査期間の該フレーム期間の始めに行われる一つで出力される該第２信号は、該一つの走査期間に続く該走査期間の他で出力されるそれと逆の極性を示す請求項２又は請求項３に記載の表示装置。
【請求項１２】
表示領域内に形成された、隣接する複数のゲート線と、ドレイン線と、複数の画素とを有し、
前記複数の画素のそれぞれは、前記隣接する複数のゲート線のそれぞれと前記ドレイン線とに接続されたスイッチング素子を有する表示装置であって、
１フレーム期間において、前記隣接する複数のゲート線が選択され、前記複数の画素に対して、前記ドレイン線を介して映像信号が書き込まれ、
前記１フレーム期間において、前記映像信号が書き込まれた後に、前記隣接する複数のゲート線が選択され、前記複数の画素に対して、ブランキングデータに対応する信号が書き込まれることを特徴とする表示装置。
【請求項１３】
前記１フレーム期間において前記複数の画素に書き込まれる映像信号とブランキングデータに対応する信号とは同じ極性の信号であることを特徴とする請求項１２に記載の表示装置。
【請求項１４】
表示領域内に形成された、第１の隣接する複数のゲート線と、前記第１の隣接する複数のゲート線よりも前記表示領域内の中心側にもうけられた第２のゲート線と、複数のドレイン線と、複数の画素とを有する表示装置であって、
１フレーム期間において、前記第１の隣接する複数のゲート線が選択され、前記第１の隣接する複数のゲート線に接続された画素に対して、ブランキングデータに対応する信号が書き込まれ、
前記１フレーム期間において、前記第２のゲート線が選択され、前記第２のゲート線に接続された画素に対して映像信号が書き込まれた後に、再度前記第２のゲート線が選択され、前期第２のゲート線に接続された前記画素に対してブランキングデータに対応する信号が書き込まれることを特徴とする表示装置。
【請求項１５】
前記１フレーム期間において、前記第１の隣接する複数のゲート線が選択された後に、前記第２のゲート線が選択されて前記第２のゲート線に接続された前記画素に対して前記映像信号が書き込まれることを特徴とする請求項１４に記載の表示装置。
【請求項１６】
前記１フレーム期間において、前記第１の隣接する複数のゲート線は一度だけ選択されて前記第１の隣接する複数のゲート線に接続された前記画素に対して、ブランキングデータに対応する信号が書き込まれることを特徴とする請求項１４又は１５に記載の表示装置。
【請求項１７】
第２のゲート線とは、前記第１の隣接する複数のゲート線よりも前記表示領域内の中心側にもうけられた隣接する複数のゲート線であることを特徴とする請求項１４乃至１６の何れかに記載の表示装置。
【請求項１８】
ゲート線と、ドレイン線と、前記ゲート線と前記ドレイン線とに接続されたスイッチング素子を有する画素とを有し、
１フレーム期間において、前記ゲート線が２回選択されることで、前記画素に対して、映像信号とブランキングデータに対応する信号とが書き込まれる表示装置であって、
前記映像信号と前記ブランキングデータに対応する信号とは同じ極性の信号であることを特徴とする表示装置。
【請求項１９】
ゲート線と、ドレイン線と、前記ゲート線と前記ドレイン線とに接続されたスイッチング素子を有する画素とを有し、
１フレーム期間において、前記ゲート線が２回選択されることで、前記画素に対して、映像信号とブランキングデータに対応する信号とが書き込まれる第１の動作方式と、
１フレーム期間において、前記ゲート線が１回選択されることで、前記画素に対して、映像信号が書き込まれ、ブランキングデータに対応する信号が書き込まれない第２の動作方式とを有する表示装置であって、
前記第１の動作方式では、第１の階調電圧群により映像信号が生成され、
前記第２の動作方式では、第２の階調電圧群により映像信号が生成されることを特徴とする表示装置。
【請求項２０】
前記第１の階調電圧群は、第１の抵抗素子列によって出力され、
前記第２の階調電圧群は、第２の抵抗素子列によって出力されることを特徴とする請求項１９に記載の表示装置。